(57)【要約】【課題】経済的で、簡単に所定の穴をあけることのできる穴あけ具を提供する。【解決手段】本発明に係る穴あけ具１０は、先端部１４に第１の孔１５を有するベース部材１１と、第１の孔１５から所定の隙間１７を置いて設けられる第１のガード部材１６と、ベース部材１１の基端部を支点に回動可能に設けられ、先端部に第１の孔１５に嵌合可能な刃１９を有する押圧部材１３と、押圧部材１３をベース部材１１側に押圧しない時には刃１９がベース部材１１側に突出しないように嵌合可能な第２の孔２３を有する第２のガード部材２２とを備え、押圧部材１３をベース部材１１側に押圧すると、第２のガード部材２２がベース部材１１に当接して押圧部材１３側に弾性変形することにより、刃１９が第２の孔２３及び第１の孔１５に嵌合し、ベース部材１１と第１のガード部材１６との隙間１７に突出するように構成されていることを特徴とする。【選択図】図１
2010188462.tif 000002
【特許請求の範囲】
【請求項１】
先端部に第１の孔を有するベース部材と、
該ベース部材の裏面側において前記第１の孔から所定の隙間を置いて設けられる第１のガード部材と、
前記ベース部材の基端部を支点に該ベース部材の表面側において回動可能且つ該ベース部材側に弾性変形可能に設けられ、先端部に前記第１の孔に嵌合可能な刃を有する押圧部材と、
該押圧部材の裏面側において該押圧部材側に弾性変形可能に設けられ、該押圧部材を前記ベース部材側に押圧しない時には前記刃が前記ベース部材側に突出しないように嵌合可能な第２の孔を有する第２のガード部材と、
を備え、前記押圧部材を前記ベース部材側に押圧すると、前記第２のガード部材が前記ベース部材に当接して前記押圧部材側に弾性変形することにより、前記刃が前記第２の孔及び第１の孔に嵌合し、前記ベース部材と前記第１のガード部材との前記隙間に突出するように構成されていることを特徴とする穴あけ具。
【請求項２】
オールステンレス製で掌に収まる程度の二股ホッチキス形状を成している請求項１に記載の穴あけ具。
【請求項３】
フック穴が設けられている請求項１又は２に記載の穴あけ具。
【発明の詳細な説明】
【技術分野】
【０００１】
本発明は、紙、プラスチック、布等に所定の大きさの穴をあけるための穴あけ具に関し、特に、レジ袋に多数の穴をあけて生ゴミを捨てる水切り用の生ゴミ袋を製作するための穴あけ具に関するものである。
【背景技術】
【０００２】
従来、家庭の台所等で発生する生ゴミは流し台のコーナー部に置かれる三角形状の水切り籠に一時的に移されて水切りされた後、ゴミ袋に収容されて可燃ゴミとして焼却処分されている。
【０００３】
しかしながら、この水切り籠は使用しているうちに生ゴミが付着し、この付着した生ゴミが腐敗して滑りが出たりすることがあり、不衛生であると共に、水切り籠の清掃に手間が掛かっていた。
【０００４】
そこで、近年では、この種の問題を解決するために、多数の水切り用の穴を備えた生ゴミ袋が開発されており、生ゴミはこの種の水切り用生ゴミ袋によって水切りされた後、この水切り用生ゴミ袋と一緒に廃棄されるようになっている（例えば、特許文献１又は特許文献２参照）。
【先行技術文献】
【特許文献】
【０００５】
【特許文献１】特開２００２−２２０１０１号公報
【特許文献２】特開２００７−８４３２１号公報
【発明の概要】
【発明が解決しようとする課題】
【０００６】
しかしながら、上記した従来の水切り用生ゴミ袋は、使い捨てであり、袋としては比較的高価であるため、不経済であるといった問題があった。
【０００７】
本発明は、上記した課題を解決すべくなされたものであり、経済的で、簡単に所定の穴をあけることのできる穴あけ具を提供することを目的とするものである。
【課題を解決するための手段】
【０００８】
上記した目的を達成するため、本発明に係る穴あけ具は、先端部に第１の孔を有するベース部材と、該ベース部材の裏面側において前記第１の孔から所定の隙間を置いて設けられる第１のガード部材と、前記ベース部材の基端部を支点に該ベース部材の表面側において回動可能且つ該ベース部材側に弾性変形可能に設けられ、先端部に前記第１の孔に嵌合可能な刃を有する押圧部材と、該押圧部材の裏面側において該押圧部材側に弾性変形可能に設けられ、該押圧部材を前記ベース部材側に押圧しない時には前記刃が前記ベース部材側に突出しないように嵌合可能な第２の孔を有する第２のガード部材とを備え、前記押圧部材を前記ベース部材側に押圧すると、前記第２のガード部材が前記ベース部材に当接して前記押圧部材側に弾性変形することにより、前記刃が前記第２の孔及び第１の孔に嵌合し、前記ベース部材と前記第１のガード部材との前記隙間に突出するように構成されていることを特徴とする。
【０００９】
また、本発明に係る穴あけ具は、オールステンレス製で掌に収まる程度の二股ホッチキス形状を成しているのが好ましい。
【００１０】
さらに、本発明に係る穴あけ具にはフック穴が設けられているのが好ましい。
【発明の効果】
【００１１】
本発明によれば、経済的で、簡単に所定の穴をあけることのできる穴あけ具を提供することができる。
【図面の簡単な説明】
【００１２】
【図１】本発明の実施の形態に係る穴あけ具を示す斜視図である。
【図２】本発明の実施の形態に係る穴あけ具の使用状態を示す図である。
【図３】本発明の実施の形態に係る穴あけ具により製作した水切り用生ゴミ袋の使用状態を示す図である。
【発明を実施するための形態】
【００１３】
以下、図面を参照しつつ、本発明の実施の形態について説明する。ここで、図１は本発明の実施の形態に係る穴あけ具を示す斜視図、図２は同穴あけ具の使用状態を示す図、図３は同穴あけ具により製作した水切り用生ゴミ袋の使用状態を示す図である。なお、以下の説明では、本発明に係る穴あけ具を、レジ袋から水切り用生ゴミ袋を製作するために使用する場合について例示して説明する。
【００１４】
図１に示すように、本実施の形態に係る穴あけ具１０は、オールステンレス製で掌に収まる程度の二股ホッチキス形状を成しており、ベース部材１１の基端部１２に押圧部材１３が設けられて概略構成されている。
【００１５】
ベース部材１１は帯板状を成し、その先端部１４には複数（図１では２個）の第１の孔１５が形成されている。ベース部材１１の先端部１４の裏面側には、板状の第１のガード部材１６が設けられ、第１のガード部材１６はベース部材１１を裏面側に折り返してその先端をベース部材１１の裏面に固着することにより形成され、ベース部材１１の第１の孔１５と第１のガード部材１６との間には所定の隙間１７が形成されている。
【００１６】
また、ベース部材１１と第１のガード部材１６にはそれぞれ対応する位置に円形のフック穴１８が形成されており、このフック穴１８を利用して穴あけ具１０は冷蔵庫や流し台等に取り付けられたフック（図示省略）に掛止可能となっている。
【００１７】
押圧部材１３は、帯板状を成し、ベース部材１１の基端部１２を支点にベース部材１１の表面側において回動可能なように形成されていると共に、押圧部材１３の表面側をベース部材１１側に押圧することにより弾性変形可能なように形成されている。押圧部材１３の先端部には第１の孔１５に嵌合可能な刃１９が突設されており、この刃１９は安全性を高めるためビニール製のレジ袋２０に穴２１を穿設するのに必要最小限な程度の鋭利さを備えた刃先を有している。
【００１８】
押圧部材１３の裏面側には、板状の第２のガード部材２２が基端部を支点に押圧部材１３側に弾性変形可能なように片持ち支持されている。第２のガード部材２２の先端部には押圧部材１３の刃１９が嵌合可能な第２の孔２３がベース部材１１の第１の孔１５に対応した位置に形成されており、押圧部材１３をベース部材１１側に押圧しない時には刃１９が第２の孔２３からベース部材１１側に突出しないようになっている。したがって、穴あけ具１０の不使用時にベース部材１１と押圧部材１３との間に誤って指を挿入したとしても、刃先によって指を損傷させたりするおそれがなく、安全性の向上を図ることができる。
【００１９】
また、第２のガード部材２２の先端２４はベース部材１１側に略直角に折曲し、ベース部材１１の先端２５に係合可能となっている。
【００２０】
次に、本発明の実施の形態に係る穴あけ具１０の使用方法について説明する。
【００２１】
穴あけ具１０を把持し、ベース部材１１と押圧部材１３との間にできる限り平らに伸ばした状態のレジ袋２０を挿入し、押圧部材１３の表面側をベース部材１１側に押圧すると、第２のガード部材２２がベース部材１１に当接すると共に第２のガード部材２２の先端２４がベース部材１１の先端２５に係合し、レジ袋１０はベース部材１１と押圧部材１３との間に挟持される。このように第２のガード部材２２がベース部材１１の先端２５に係合することにより、穴あけ作業中にレジ袋２０がずれるのを防止することができる。
【００２２】
次いで、この状態からさらに押圧部材１３の表面側をベース部材１１側に押圧すると、第２のガード部材２２が基端部を支点に押圧部材１３側に弾性変形することにより、刃１９は第２の孔１９及び第１の孔１５に嵌合し、ベース部材１１と第１のガード部材２２との隙間１７に突出し、レジ袋２０に穴２１をあけることができる。この時、刃先が第１のガード部材１６の裏面側に突出することがないため、穴あけ作業中に作業者の指や手を損傷させることがなく、安全性を高めることができる。また、レジ袋２０に穴２１をあけた後、押圧部材１３に対する押圧力を解除すると、押圧部材１３及び第２のガード部材２２は元の位置に戻るが、この時、第２のガード部材２２が刃１９とレジ袋２０とを分離させるように作用するため、穴あけ作業をより円滑に行うことができるようになる。
【００２３】
以降、上記した穴あけ動作を所定回数繰り返すことにより、レジ袋２０に所望な数の穴２１を穿設し、水切り用生ゴミ袋２６を製作することができる。なお、水切り用生ゴミ袋として使用する際に水切れをよくするためには、レジ袋２０の下側５段以上に多数の穴２１を穿設するとよい。
【００２４】
その後、図３に示すように、水切り用生ゴミ袋２６を水切り籠２７に被せ、水切り用生ゴミ袋２６内に捨てられた生ゴミはこの水切り用生ゴミ袋２６によって水切りされた後、水切り用生ゴミ袋２６と一緒に廃棄される。
【００２５】
このように上記した実施の形態に係る穴あけ具１０によれば、スーパーマーケットやコンビニ等で貰ったレジ袋２０に穴２１をあけるだけで簡単に水切り用生ゴミ袋２６を製作することができるため、経済的である。また、穴あけ具１０は極めて簡単な構造であり、錆び難く、いつまでも丈夫で衛生的に使用することができる。さらに、穴あけ具１０は掌に収まる程度の二股ホッチキス形状を成し、非力な女性でも簡単に操作できると共に、穴あけ時に「プチップチッ」という感触が得られるため、楽しい気分で穴あけ作業を行うことができる。
【００２６】
なお、上記した実施の形態では、第１の孔１５及び第２の孔２３や刃１９を２個ずつ形成しているが、１個又は３個以上ずつ形成してもよい。また、上記した穴あけ具１０の形状や材質は単なる例示に過ぎず、各種変更が可能である。
【００２７】
さらに、上記した実施の形態では、本発明に係る穴あけ具１０を、レジ袋から水切り用生ゴミ袋を製作するために使用した場合について説明したが、本発明に係る穴あけ具１０は、この場合の使用に限定されるものではなく、例えば、紙、プラスチック、布等に所定の大きさの穴をあける他の用途にも使用可能であることは言う迄もない。
【符号の説明】
【００２８】
１０          穴あけ具
１１          ベース部材
１２          基端部
１３          押圧部材
１４          先端部
１５          第１の孔
１６          第１のガード部材
１７          隙間
１８          フック穴
１９          刃
２２          第２のガード部材
２３          第２の孔
【図１】
2010188462.tif 000003
【図２】
2010188462.tif 000004
【図３】
2010188462.tif 000005